(57)【要約】【課題】シリンジの種類に応じて、異なる形態の混注部材を準備しなくても良く、また部品（器材）を簡略化できることでコストダウン可能な混注部材、ニードルレスアダプター及び医療用具を提供すること。【解決手段】ハウジング（２）に、異なる種類のシリンジを接続可能な、二種類のポート（３、４）を装着した混注部材（１）。前記ハウジング（２）天面部に、第一ポート（３）と底部に第二ポート（４）を装着し、第一ポート（３）に、ロックタイプシリンジの注入口を挿入可能なスリット付きの栓体（５）を配置するとともに、外周にロックシリンジの接続部（６）を形成し、第二ポート（４）に、ルアータイプシリンジの注入口またはルアーコネクターを挿入可能なスリット付きの栓体（７）を配置した。【選択図】図１
2005204953.tif 000002
【特許請求の範囲】
【請求項１】
ハウジング（２）に、異なる種類のシリンジを接続可能な、二種類のポート（３、４）を装着した、ことを特徴とする混注部材（１）。
【請求項２】
ハウジング（２）天面部に、第一ポート（３）と底部に第二ポート（４）を装着し、
第一ポート（３）に、ロックタイプシリンジの注入口を挿入可能なスリット付きの栓体（５）を配置するとともに、外周にロックシリンジの接続部（６）を形成し、
第二ポート（４）に、ルアータイプシリンジの注入口またはルアーコネクターを挿入可能なスリット付きの栓体（７）を配置した、ことを特徴とする混注部材（１）。
【請求項３】
ロックタイプシリンジ（２１）とこれと着脱可能なルアーアダプター（３１）とから構成され、
前記シリンジ（２１）は本体（２２）とロック部（２３）とから構成され、ロック部（２３）の内面には、請求項１ないし２に記載の混注部材（１）の接続部（６）とルアーアダプター（３１）の後方に形成された接続部（３４）の双方に接続できる接続部（２４）が形成され、
前記ルアーアダプター（３１）は、本体（３２）の前方にルアー部（３３）が形成され、
後方に前記ロック部（２３）との接続部（３４）が形成されている、ことを特徴とするニードルレスアダプター（２０）。
【請求項４】
請求項１ないし３に記載の混注部材（１）及び／又はニードルレスアダプター（２０）を含むことを特徴とする医療用具。
【発明の詳細な説明】
【技術分野】
【０００１】
本発明は、薬液等を注入する混注部材の改良に関するもので、異なるタイプの二種類のシリンジをポートに接続できる混注部材に関する。本発明の混注部材は、血液回路、薬液容器、輸血・輸液セット等の医療用具に使用される。
【背景技術】
【０００２】
薬液等を注入する混注部材には、シリンジを接続して、薬液等を注入しているが、シリンジには、その接続形態により、例えばロックタイプとルアータイプのシリンジが使用されている。
現在市販ないし公知の特許文献に記載の混注部材は、シリンジ接続用のポートを一箇所しか設けていないため、シリンジの種類（ロックタイプまたはルアータイプ）に応じて、ロックタイプ用のポートを有する混注部材とルアータイプ用のポートを有する混注部材を別々に準備するかまたは何らかのアダプターを使用しなければならなかった。
【０００３】
例えば特許文献１では、ロックタイプシリンジと混注部材、また特許文献２では、ルアータイプシリンジと混注部材の接続形態について開示している。
【０００４】
【特許文献１】特表平１１−５０７２７５号公報（図１参照）
【特許文献２】特開２００３−３３９８７７号公報（図１１参照）
【発明の開示】
【発明が解決しようとする課題】
【０００５】
本発明が解決しようとする問題点は、シリンジの種類に応じて、異なる形態の混注部材を準備しなければならない点である。
【課題を解決するための手段】
【０００６】
そこで本発明者は以上の課題を解決するために、鋭意検討を重ねた結果次の発明に到達した。
［１］本発明は、ハウジング（２）に、異なる種類のシリンジを接続可能な、二種類のポート（３、４）を装着した混注部材（１）を提供する。
［２］本発明は、ハウジング（２）天面部に、第一ポート（３）と底部に第二ポート（４）を装着し、
第一ポート（３）に、ロックタイプシリンジの注入口を挿入可能なスリット付きの栓体（５）を配置するとともに、外周にロックシリンジの接続部（６）を形成し、
第二ポート（４）に、ルアータイプシリンジの注入口またはルアーコネクターを挿入可能なスリット付きの栓体（７）を配置した混注部材（１）を提供する。
［３］本発明は、ロックタイプシリンジ（２１）とこれと着脱可能なルアーアダプター（３１）とから構成され、
前記シリンジ（２１）は本体（２２）とロック部（２３）とから構成され、ロック部（２３）の内面には、［１］ないし［２］に記載の混注部材（１）の接続部（６）とルアーアダプター（３１）の後方に形成された接続部（３４）の双方に接続できる接続部（２４）が形成され、
前記ルアーアダプター（３１）は、本体（３２）の前方にルアー部（３３）が形成され、
後方に前記ロック部（２３）との接続部（３４）が形成されているニードルレスアダプター（２０）を提供する。
［４］本発明は、［１］ないし［３］に記載の混注部材（１）及び／又はニードルレスアダプター（２０）を含む医療用具を提供する。
【発明の効果】
【０００７】
（１）ハウジング２にシリンジの種類に応じて、異なる種類のポートを二つ配置しているので、シリンジの種類に応じて、異なる形態の混注部材を準備しなくても良い。
（２）準備する部品（器材）を簡略化できるので、コストダウンできる。
【発明を実施するための最良の形態】
【０００８】
図１は本発明の混注部材１の概略図、図２は図１のＡ矢視図、図３は図１のＢ矢視図、図４は図１のＣ−Ｃ線断面図である。
混注部材１は、ハウジング２に、異なる種類のシリンジを接続可能な、二種類のポート３、４を装着している。
さらに詳述すれば、ハウジング２天面部に、第一ポート３と底部に第二ポート４を装着し、第一ポート３に、ロックタイプシリンジの注入口を挿入可能なスリット付きの栓体５を配置するとともに、外周にロックシリンジの接続部６を形成している。
第二ポート４に、ルアータイプシリンジの注入口またはルアーコネクターを挿入可能なスリット付きの栓体７を配置している。
【０００９】
［第一ポート３］
第一ポート３の形態は、図１に例示したものに限定されない。図１において、接続部６は、「螺旋状の突起」として記載されているが、当該第一ポート３と接続されるシリンジの接続部（先端部のロック構造）が接続できる形態であれば何でも良い。例えば、螺旋状の溝部、縦方向の突起または溝部等であっても良い。
また第一ポート３に装填される栓体５は、ロックタイプシリンジの注入口を挿入可能なスリットＳ付きの栓体５であれば何でも良い。スリットＳの形態も図３に示したもの（縦断面の途中から形成されているもの）に限定されずロックタイプシリンジの注入口を挿入可能な形態（例えば縦断面の上端から下端に亘って形成されたもの）であれば何でも良い。
また図３の例示では、栓体５は第一ポート３の下部に配置されている（厳密にいえば、第一ポート３下部とハウジング２の上段部２Ａとの間に配置されている）が、第一ポート３の内部に配置しても良い。
［第二ポート４］
第二ポート４の形態も、図１に例示したものに限定されない。第二ポート４に装填される栓体７は、ルアータイプシリンジの注入口またはルアーコネクターを挿入可能なスリット付きの栓体７であれば何でも良い。スリットＳの形態も図３に示したもの（縦断面の途中から形成されているもの）に限定されずルアータイプシリンジの注入口を挿入可能な形態（例えば縦断面の上端から下端に亘って形成されたもの）であれば何でも良い。また図３の例示では、栓体７は第二ポート４の内部に配置されているが、栓体５のように、第二ポート４上部とハウジング２の間に配置しても良い。
また第二ポート４の底面には、栓体７を支持するためのキャップ９を被冠しても良い。第二ポート４とキャップ９は係合部４Ａ、９Ａ（具体的には、突起４Ａと溝９Ａで、相互に入れ替わっても良い）により係合される。
図１において、第二ポート４外周に、円状でかつハウジング２より幅広の鍔部８を形成しているが、鍔部８は、矩形状にしても良いし、省略しても良い。
【００１０】
［ニードルレスアダプター２０］
図５は本発明の混注部材１に装着されるニードルレスアダプター２０（以下、アダプター）の概略図で、アダプター２０は、ロックタイプのシリンジ２１（以下、シリンジ２１）と、ルアーアダプター３１を着脱できるように形成されている。図５の（Ａ）はシリンジ２１、（Ｂ）はルアーアダプター３１の概略図で、（Ｃ）はシリンジ２１とルアーアダプター３１を装着するところの概略図、（Ｄ）はこれらを装着したところの概略図である。
シリンジ２１は筒状の本体２２と円筒状のロック部２３とから構成され、ロック部２３の内面には、混注部材１の接続部６とルアーアダプター３１の後方に形成された接続部３４の双方に接続できる接続部２４が形成されている。
ルアーアダプター３１は、本体３２の前方に細径のルアー部３３が形成され、後方に接続部３４が形成されている。本体３２の側部に把手として翼部３５が形成されている。
接続部２４、３４は、例えば、螺旋状の突起または溝部、縦方向の突起または溝部等であっても良い。
【００１１】
［使用方法１］
混注部材１は、第一ポート３の接続部６に、公知のロックタイプシリンジの接続部材を装着するとともに、栓体５にロックタイプシリンジの注入口を挿入し、第二ポート４の栓体７に、公知のルアータイプシリンジの注入口を挿入して、それぞれ薬液を注入することができる。このように、異なる種類のシリンジを一つの混注部材１に装着（挿入）して、使用することができる。
［使用方法２］
また混注部材１は、図５のアダプター２０とともに使用することができる。
第一ポート３の接続部６に、シリンジ２１のロック部２３を装着するとともに、栓体５にシリンジ２１の注入口２５を挿入する。
他方、第二ポート４の栓体７に、シリンジ２１を装着するときは、シリンジ２１にルアーアダプター３１を装着し、ルアーアダプター３１のルアー部３３（注入口）を栓体７に挿入することにより、それぞれ薬液を注入することができる。
このように、シリンジ２１とルアーアダプター３１を着脱できるようにしたアダプター２０とともに使用することにより、シリンジも二種類準備する必要がなくなり、部品をさらに簡略化することができる。
【図面の簡単な説明】
【００１２】
【図１】本発明の混注部材１の概略図、図２は図１のＡ矢視図、図３は図１のＢ矢視図
【図２】図１のＡ矢視図
【図３】図１のＢ矢視図
【図４】図１のＣ−Ｃ線断面図
【図５】ニードルレスアダプター（ロックタイプのシリンジとルアーアダプター）の概略図［（Ａ）はシリンジ２１、（Ｂ）はルアーアダプター３１の概略図、（Ｃ）はシリンジ２１とルアーアダプター３１を装着するところの概略図、（Ｄ）はこれらを装着したところの概略図］
【符号の説明】
【００１３】
１  混注部材
２  ハウジング
２Ａ  ハウジング上段部
３  第一ポート
４  第二ポート
４Ａ  係合部（突起または溝）
５  栓体
６  接続部
７  栓体
８  鍔部
９  キャップ
９Ａ  係合部（溝または突起）
Ｔ  チューブ
Ｓ  スリット
２０  ニードルレスアダプター（アダプター）
２１  シリンジ
２２  本体
２３  ロック部
２４  接続部
２５  注入口
３１  ルアーアダプター
３２  本体
３３  ルアー部（注入口）
３４  接続部
３５  翼部
【図１】
2005204953.tif 000003
【図２】
2005204953.tif 000004
【図３】
2005204953.tif 000005
【図４】
2005204953.tif 000006
【図５】
2005204953.tif 000007